(57)【要約】【課題】ユーザの皮膚の温度が適切な温度になるように、ユーザの皮膚を加温することができる美容機器を提供する。【解決手段】美容機器１０は、ヒータユニット層１８と、パッド２０とを備える。ヒータユニット層１８は、皮膚に向けて輻射熱を放出するヒータ本体層を有する。パッド２０は、ヒータユニット層１８の皮膚側に配置され、ヒータユニット層１８と皮膚との間に空間３を形成する。さらに、美容機器１０は、皮膚上における化粧水パックの有無を判定する判定部と、ヒータユニット層１８の温度を制御する温度制御部とを備える。判定部によって化粧水パックが有ると判定された場合、判定部によって化粧水パックが無いと判定された場合と比較して、温度制御部は、化粧水パックの温度を高くする。これによれば、皮膚上に化粧水パックが有る場合であっても、皮膚の温度が適切な温度になるように、皮膚を加温することができる。【選択図】図２
2018187364.tif 000002
【特許請求の範囲】
【請求項１】
人体の皮膚を加温する美容機器であって、
空間（３）を挟んで前記皮膚に対向して配置され、前記皮膚に向けて輻射熱を放出するフィルム状のヒータ層（２２）と、
前記ヒータ層の前記皮膚側に配置され、前記ヒータ層と前記皮膚との間に前記空間を形成する空間形成部材（２０）と、
前記皮膚上における物体（Ｐ１）の有無を判定する判定部（Ｓ２）と、
前記ヒータ層の温度を制御する温度制御部（Ｓ３、Ｓ４、Ｓ５）とを備え、
前記物体は、前記皮膚上において、力を加えないと変形しない定まった形をもつとともに、美容のための液体を内部に含有するものであり、
前記判定部によって前記物体が有ると判定された場合、前記判定部によって前記物体が無いと判定された場合と比較して、前記温度制御部は、前記ヒータ層の温度を高くする美容機器。
【請求項２】
さらに、前記皮膚上に存在する前記液体の量に相関する物理量を検出する物理量センサ（４６、５０、５４）を備え、
前記判定部は、前記物理量センサの検出結果に基づいて、前記物体の有無を判定する請求項１に記載の美容機器。
【請求項３】
さらに、前記空間を挟んで前記ヒータ層と対向する物の温度を検出する温度センサ（４６）を備え、
前記判定部は、前記温度センサの検出結果に基づいて、前記物体の有無を判定する請求項１に記載の美容機器。
【請求項４】
さらに、前記空間の湿度を検出する湿度センサ（５０）を備え、
前記判定部は、前記湿度センサの検出結果に基づいて、前記物体の有無を判定する請求項１に記載の美容機器。
【請求項５】
さらに、前記空間を挟んで前記ヒータ層と対向する物の電気抵抗値を検出する検出部（５４）を備え、
前記判定部は、前記検出部の検出結果に基づいて、前記物体の有無を判定する請求項１に記載の美容機器。
【請求項６】
前記ヒータ層は、複数のヒータ領域（Ｒ１、Ｒ２、Ｒ３、Ｒ４、Ｒ５）を有し、
前記温度制御部は、前記複数のヒータ領域のそれぞれの温度を独立して制御し、
前記判定部は、前記複数のヒータ領域のそれぞれに対向する前記皮膚の複数の皮膚領域のそれぞれについて、前記皮膚上における前記物体の有無を判定し、
前記複数の皮膚領域のそれぞれを対象の皮膚領域として、前記判定部によって前記物体が有ると判定された場合、前記判定部によって前記物体が無いと判定された場合と比較して、前記温度制御部は、前記複数のヒータ領域のうち前記対象の皮膚領域に対応するヒータ領域の温度を高くする請求項１ないし５のいずれか１つに記載の美容機器。
【請求項７】
前記ヒータ層は、ユーザの顔面（２）を覆うことができる形状を有するとともに、空間を挟んでユーザの顔面の前記皮膚に対向して配置され、
前記空間形成部材は、前記ヒータ層と前記顔面の前記皮膚との間に前記空間を形成する請求項１ないし６のいずれか１つに記載の美容機器。
【発明の詳細な説明】
【技術分野】
【０００１】
本発明は、人体の皮膚を加温する美容機器に関する。
【背景技術】
【０００２】
特許文献１に、顔の温熱美容に用いられる発熱性美容パックが開示されている。この発熱性美容パックは、発熱性を有するシート状のマスクである。このパックは、化粧水を含有する。このパックは、この顔面に密着させて使用される。このパック自体が発熱することで、化粧水の皮膚への浸透が向上する。
【先行技術文献】
【特許文献】
【０００３】
【特許文献１】２０１４−１２９３１３号公報
【発明の概要】
【発明が解決しようとする課題】
【０００４】
本発明者は、輻射熱で皮膚を加温する美容機器を検討した。この美容機器は、フィルム状のヒータ層と空間形成部材とを備える。ヒータ層は、空間を挟んで皮膚に対向して配置され、皮膚に向けて輻射熱を放出する。空間形成部材は、ヒータ層の皮膚側に配置され、ヒータ層と皮膚との間に空間を形成する。この美容機器によれば、ヒータ層を皮膚に接触させないで、ヒータ層からの輻射熱によって皮膚を加温することができる。
【０００５】
この美容機器の使用方法として、化粧水を皮膚に付けた状態で、この美容機器によって皮膚を加温する方法が考えられる。また、別の使用方法として、化粧水を含有する非発熱性のパックを皮膚に貼り付けた状態で、この美容機器によって皮膚を加温する方法が考えられる。
【０００６】
しかし、パックの使用時では、輻射熱がパックによって遮られる。このため、パックの使用時と非使用時で、ヒータ層の温度が同じであると、パックの使用時では、パックの非使用時と比較して、皮膚の温度が低くなる。よって、ユーザの皮膚の温度が化粧水の浸透のための適切な温度にならないという課題が生じることを本発明者は見出した。
【０００７】
なお、定まった形をもつ物体は輻射熱を遮る。このため、この課題は、化粧水を含有するパックを用いる場合に限られず、美容のための液体を含有する物体を用いる場合において生じる課題である。美容とは、肌を美しく整えることである。美容のための液体には、一般的に、化粧水、乳液、美容液と呼ばれる液体が含まれる。また、野菜や果物に含まれる液体も含まれる。ハチミツ、ヨーグルトなどの食材の液体も含まれる。したがって、薄切りにした野菜や果物を肌に付ける場合、野菜や果物が物体に該当する。
【０００８】
本発明は上記点に鑑みて、ユーザの皮膚の温度が適切な温度になるように、ユーザの皮膚を加温することができる美容機器を提供することを目的とする。
【課題を解決するための手段】
【０００９】
上記目的を達成するため、請求項１に記載の発明の美容機器は、
空間（３）を挟んで皮膚に対向して配置され、皮膚に向けて輻射熱を放出するフィルム状のヒータ層（２２）と、
ヒータ層の皮膚側に配置され、ヒータ層と皮膚との間に空間を形成する空間形成部材（２０）と、
皮膚上における物体（Ｐ１）の有無を判定する判定部（Ｓ２）と、
ヒータ層の温度を制御する温度制御部（Ｓ３、Ｓ４、Ｓ５）とを備え、
物体は、皮膚上において、力を加えないと変形しない定まった形をもつとともに、美容のための液体を内部に含有するものであり、
判定部によって物体が有ると判定された場合、判定部によって物体が無いと判定された場合と比較して、温度制御部は、ヒータ層の温度を高くする。
【００１０】
これによれば、皮膚上に物体が有る場合であっても、ユーザの皮膚の温度が適切な温度になるように、ユーザの皮膚を加温することができる。
【００１１】
なお、この欄および特許請求の範囲で記載した各手段の括弧内の符号は、後述する実施形態に記載の具体的手段との対応関係を示す一例である。
【図面の簡単な説明】
【００１２】
【図１】第１実施形態における美容機器の外観を示す図である。
【図２】図１のII−II断面図である。
【図３】図１の美容機器の分解斜視図である。
【図４】第１実施形態におけるヒータユニット層の断面図である。
【図５】第１実施形態におけるヒータ本体層の平面図である。
【図６】図５のVI−VI断面図である。
【図７】第１実施形態における美容機器の電気的構成を示すブロック図である。
【図８】化粧水パックの使用時における第１実施形態の美容機器の断面図である。
【図９】第１実施形態における制御装置が実行する制御を示すフローチャートである。
【図１０】皮膚上に化粧水パックが有る場合と無い場合とにおける温度センサに検出される温度と時間との関係を示す図である。
【図１１】第２実施形態における美容機器の断面図である。
【図１２】皮膚上に化粧水パックが有る場合と無い場合とにおける湿度センサに検出される湿度と時間との関係を示す図である。
【図１３】第３実施形態における美容機器の断面図である。
【図１４】化粧水パックの非使用時における図１３中の抵抗検出器の拡大図である。
【図１５】化粧水パックの使用時における図１３中の抵抗検出器の拡大図である。
【図１６】皮膚上に化粧水パックが有る場合と無い場合とにおける抵抗検出器に検出される電気抵抗値と時間との関係を示す図である。
【図１７】第４実施形態におけるヒータ本体層と制御装置とを示す図である。
【図１８】第４実施形態におけるヒータユニット層の斜視図である。
【発明を実施するための形態】
【００１３】
以下、本発明の実施形態について図に基づいて説明する。なお、以下の各実施形態相互において、互いに同一もしくは均等である部分には、同一符号を付して説明を行う。
【００１４】
（第１実施形態）
図１、２に示すように、本実施形態の美容機器１０は、ユーザ１の顔面２に装着される。美容機器１０は、輻射熱によって顔面２の皮膚を加温する。すなわち、美容機器１０は、体の外から顔面２に温熱を与える。美容機器１０は、マスク本体部１２と、ヘッドバンド１４とを備える。マスク本体部１２は、ユーザ１の顔面２に対向して配置されたときに、ユーザ１の顔面２を覆う。ヘッドバンド１４は、マスク本体部１２を加温対象部である顔面２に固定する固定部材である。ヘッドバンド１４は頭にかけられる。これにより、マスク本体部１２がユーザ１の顔面２に固定される。
【００１５】
図３に示すように、マスク本体部１２は、ハーフミラー層１６と、ヒータユニット層１８と、パッド２０とを有する。
【００１６】
ハーフミラー層１６は、マスク本体部１２の外装部材である。ハーフミラー層１６は、図２に示すように、ヒータユニット層１８の反ユーザ側に積層されている。ハーフミラー層１６は、ヒータユニット層１８を覆うことができる形状および大きさである。すなわち、ハーフミラー層１６は、顔面２を覆うことができる形状および大きさである。図示しないが、ハーフミラー層１６は、樹脂材料などの透明な部材と、透明な部材の表面にアルミニウムなどの金属材料が蒸着された表面層とを有している。
【００１７】
ハーフミラー層１６は、光透過性を有する。このため、ユーザ１は、美容機器１０の装着時に、ユーザ１の周りを見ることができる。より具体的には、ハーフミラー層１６の一方側の空間が明るく他方側の空間が暗いとき、明るい側からの光の一部がハーフミラー層１６で反射し、明るい側からの光の他の一部が透過する。これにより、明るい側からハーフミラー層１６を見ると、ハーフミラー層１６は鏡として機能する。暗い側からハーフミラー層１６を見ると、ハーフミラー層１６は、明るい側が見える半透明な部材として機能する。マスク本体部１２の装着時では、マスク本体部１２のユーザ側が暗い側となり、マスク本体部１２の反ユーザ側が明るい側となる。このため、マスク本体部１２の装着時では、ユーザ１はユーザ１の周りを見ることができるが、ユーザ１以外の人からはユーザ１の顔が見えない。
【００１８】
ヒータユニット層１８は、フィルム状のヒータ層を有するヒータ装置である。ヒータユニット層１８は、ハーフミラー層１６の内側、すなわち、ユーザ側に積層されている。ヒータユニット層１８は、顔面２を覆うことができる形状および大きさである。ヒータユニット層１８には、マスク本体部１２の装着時にユーザ１の目に対応する位置に２つの開口部１８ａが形成されている。２つの開口部１８ａのそれぞれは空間部である。このため、マスク本体部１２の装着時に、ヒータユニット層１８は、ユーザ１の額、鼻、口、頬、顎などを覆う。ヒータユニット層１８は、通電によって発熱してユーザ１の顔面２に向けて輻射熱を放出する。ヒータユニット層１８の詳細については後述する。
【００１９】
パッド２０は、図２に示すように、ヒータユニット層１８と顔面２の皮膚との間に空間３を形成する空間形成部材である。図３に示すように、パッド２０は、顔面２の輪郭に沿った環形状である。パッド２０は、ヒータユニット層１８のユーザ側、すなわち、皮膚側であって、ヒータユニット層１８の周縁部の全域に積層される。図２に示すように、マスク本体部１２の装着時では、パッド２０は、ユーザ１の顔面２の周縁部の全域に接触する。パッド２０は、発泡ウレタンなどの発泡樹脂材料で構成される。なお、パッド２０は、クッション性およびシール性を有する他の材料で構成されていてもよい。
【００２０】
パッド２０によって、マスク本体部１２の装着時に、ヒータユニット層１８はユーザ１の顔面２に直に触れない。また、パッド２０が環形状であることによって、マスク本体部１２の装着時に、ヒータユニット層１８と顔面２との間に閉じられた空間３が形成される。
【００２１】
パッド２０は、２つのバンド固定部２０１が設けられている。２つのバンド固定部２０１のそれぞれに、ヘッドバンド１４の２つの端部１４１のそれぞれが固定される。
【００２２】
図４に示すように、ヒータユニット層１８は、ヒータ本体層２２と、断熱層２４と、表皮層２６とを有する。ヒータ本体層２２は、通電により発熱して顔面２の皮膚に向けて輻射熱を放出するフィルム状のヒータ層である。ヒータ本体層２２の面方向の大きさは、ヒータユニット層１８の面方向の大きさと同じである。すなわち、ヒータ本体層２２は、ヒータユニット層１８の面方向全域に配置されている。
【００２３】
断熱層２４は、ヒータ本体層２２の反ユーザ側、すなわち、ハーフミラー層１６側に積層されている。断熱層２４は、ヒータ本体層２２からハーフミラー層１６側への熱移動を抑制する層である。断熱層２４によって、ヒータ本体層２２からハーフミラー層１６側への熱の流出が抑制される。
【００２４】
表皮層２６は、ヒータ本体層２２のユーザ側に積層されている。表皮層２６は、ヒータ本体層２２を保護するための層である。表皮層２６は、ヒータ本体層２２のユーザ側の意匠性を確保するための層である。表皮層２６は、織物、不織布などの布で構成されている。
【００２５】
図５、６に示すように、ヒータ本体層２２は、基板部３０と、一対の電極３２、３４と、複数の発熱部３６とを有する。図中の矢印で示すＸ軸方向、Ｙ軸方向、Ｚ軸方向は、互いに直交する方向である。Ｘ軸方向およびＹ軸方向が、ヒータ本体層２２の表面に平行な方向、すなわち、ヒータ本体層２２の面方向である。Ｚ軸方向が、ヒータ本体層２２の厚さ方向である。
【００２６】
基板部３０は、フィルム状である。基板部３０の内部に、一対の電極３２、３４と、複数の発熱部３６とが配置されている。基板部３０は、絶縁材料としての可撓性を有する合成樹脂で構成されている。合成樹脂は、例えば、熱可塑性樹脂である。
【００２７】
一対の電極３２、３４は、それぞれ、Ｙ軸方向に沿って線状に延びている。一対の電極３２、３４は、Ｘ軸方向で互いに離れて配置されている。一対の電極３２、３４は、複数の発熱部３６に電気的に接続される。
【００２８】
複数の発熱部３６は、通電によって発熱して輻射熱を放射する。複数の発熱部３６は、金属材料で構成されている。複数の発熱部３６は、一対の電極３２、３４の間に並列に配置されている。１つの発熱部３６は、一対の電極３２、３４の間で、Ｘ軸方向に沿って線状に延びている。１つの発熱部３６の一端側は、一方の電極３２と電気的に接続されている。第１発熱部３６の他端側は、一対の電極３２、３４の他方の電極３４と電気的に接続されている。図６に示すように、１つの発熱部３６は、膜状である。
【００２９】
図５に示すように、基板部３０の内部において、複数の発熱部３６のうち隣り合う２つの発熱部３６の間には、低熱伝導部３７が存在する。低熱伝導部３７は、発熱部３６よりも熱伝導性が低い部分である。低熱伝導部３７は、隣り合う発熱部３６同士を熱的に分離している。低熱伝導部３７は、基板部３０を構成する絶縁材料によって構成されている。
【００３０】
このように、ヒータ本体層２２は、膜状である複数の発熱部３６と、複数の低熱伝導部３７とを有する。発熱部３６が膜状であることにより、発熱部３６の熱容量が小さくされている。
【００３１】
さらに、発熱して輻射熱を放射する発熱部が複数の発熱部３６によって構成されている。より具体的には、１つの発熱部３６は細長い形状を有する。これにより、発熱部３６の長さ方向の熱抵抗が大きくされている。
【００３２】
隣り合う２つの発熱部３６の間に低熱伝導部３７が配置されている。これにより、隣り合う２つの発熱部３６の間の熱抵抗が大きくされている。これらの結果、ヒータ本体層２２の面方向での熱抵抗が大きくされている。すなわち、発熱部が面方向で連続する１つの発熱部で構成されている場合と比較して、面方向の熱移動が抑制されている。
【００３３】
このため、ヒータ本体層２２がユーザ１の指や顔面２などに触れられて、触れられた部分からユーザ１へ熱が移動したときに、触れられた部分の周囲から触れられた部分への熱移動が抑制される。触れられた部分の温度が速やかに低下する。これにより、ユーザ１への熱的な不快感を低減することができる。
【００３４】
このように、本実施形態では、ヒータ本体層２２にユーザ１が触れたときに、ユーザ１が触れた部分の温度が急速に低下するという特性をヒータ本体層２２が有するように、ヒータ本体層２２が構成されている。
【００３５】
複数の発熱部３６は、ヒータ本体層２２のうち少なくとも顔面２の加熱対象領域に対向する領域に配置されている。顔面２の加熱対象領域は、例えば、額、鼻、頬、顎である。
【００３６】
図７に示すように、美容機器１０は、制御装置４０と、電池４２と、操作部４４とを備える。
【００３７】
制御装置４０は、ヒータ本体層２２が目標温度となるように、ヒータ本体層２２の複数の発熱部３６の通電量を制御する。これにより、制御装置４０は、ヒータ本体層２２の温度を制御する。本実施形態では、制御装置４０は、複数の発熱部３６の通電量を、ヒータ本体層２２の全体で一律に制御する。これにより、制御装置４０は、ヒータ本体層２２の温度をヒータ本体層２２の全体で一律に制御する。また、制御装置４０は、ヒータユニット層１８に設けられている。制御装置４０は、ＣＰＵ、ＲＯＭ、およびＲＡＭ等のメモリを含むマイクロコンピュータとその周辺回路から構成される。制御装置４０は、メモリに記憶された制御プログラムに基づいて各種演算、処理を行う。メモリは、非遷移的実体的記録媒体である。非遷移的実体的記録媒体は、一時的でない有形の記憶媒体（すなわち、non-transitory tangible storage media）である。
【００３８】
電池４２は、ヒータ本体層２２へ電力を供給する電源装置である。電池４２としては、一次電池、二次電池などの種々の電池の利用が可能である。図３に示すように、電池４２はヘッドバンド１４の内部に設けられている。
【００３９】
操作部４４は、ユーザ１に操作される。操作部４４は、電源スイッチなどのスイッチを有する。操作部４４は、ユーザ１の操作に応じた信号を制御装置４０に出力する。図３に示すように、操作部４４は、ヘッドバンド１４に設けられている。
【００４０】
次に、本実施形態の美容機器１０の使用方法について説明する。
【００４１】
ユーザ１は、顔面２の皮膚に化粧水を付ける。化粧水は、美容のための液体である。その後、図２に示すように、ユーザ１は、美容機器１０を装着する。すなわち、ユーザ１は、マスク本体部１２が顔面２を覆うように、マスク本体部１２を顔面２に対向させる。
【００４２】
または、ユーザ１は、発熱性が無く化粧水を含有する化粧水パックＰ１を顔面２の皮膚に貼り付ける。化粧水パックＰ１は、化粧水を含有するシート状のマスクである。シート状のマスクは、紙や布などで構成される定まった形をもつ物体である。シート状のマスクは、内部に空隙が形成されている。この空隙に化粧水が存在する。その後、図８に示すように、ユーザ１は、美容機器１０を装着する。
【００４３】
ユーザ１は、美容機器１０を装着した後、操作部４４の電源スイッチをオンにする。なお、ユーザ１が美容機器１０を装着する前に、ユーザ１が電源スイッチをオンにしてもよい。
【００４４】
これにより、ヒータ本体層２２が通電によって発熱して輻射熱を放出する。この輻射熱によってユーザ１の顔面２の皮膚が加温される。すなわち、化粧水パックＰ１が使用されていない場合、この輻射熱によって顔面２の皮膚が直接加温される。顔面２の皮膚が加温されることで、顔面２の皮膚への化粧水の浸透が向上する。化粧水パックＰ２が使用されている場合、この輻射熱によって化粧水パックＰ１が加温される。加温された化粧水パックＰ１によって顔面２の皮膚が加温される。
【００４５】
ここで、化粧水パックＰ１の使用時では、輻射熱が化粧水パックＰ１によって遮られる。このため、化粧水パックＰ１の使用時と非使用時で、ヒータ本体層２２の温度が同じであると、化粧水パックＰ１の使用時では、化粧水パックＰ１の非使用時と比較して、皮膚の温度が低くなる。よって、化粧水の浸透のための適切な温度になるように、皮膚を加温することができない。
【００４６】
そこで、本実施形態では、以下の説明の通り、化粧水パックＰ１の使用時と非使用時とで、ヒータ本体層２２の温度が異なる温度となるように、制御装置４０がヒータ本体層２２の温度を制御するようになっている。
【００４７】
図２、３に示すように、美容機器１０は、温度センサ４６を備える。温度センサ４６は、ヒータユニット層１８のユーザ側の面１８ｂのうちユーザ１の額に対向する領域に設けられている。温度センサ４６は、センサ支持部４８に支持されている。温度センサ４６は、センサ支持部４８を介して、ヒータユニット層１８に固定されている。センサ支持部４８は、伸縮可能な形状または構造を有する。センサ支持部４８は、美容機器１０の装着時にユーザ１の皮膚に接触するように、温度センサ４６を支持する。
【００４８】
温度センサ４６は、空間３を挟んでヒータユニット層１８と対向する物の温度を検出する。具体的には、図２に示すように、化粧水パックＰ１の非使用時では、温度センサ４６は、ユーザ１の皮膚に接触する。温度センサ４６は、ユーザ１の皮膚の温度を検出する。一方、図８に示すように、化粧水パックＰ１の使用時では、温度センサ４６は、化粧水パックＰ１に接触する。温度センサ４６は、化粧水パックＰ１の温度を検出する。
【００４９】
図７に示すように、温度センサ４６は、制御装置４０と電気的に接続されている。このため、制御装置４０は、温度センサ４６の検出値を取得することができる。温度センサ４６の検出値は、温度センサ４６の検出結果である。
【００５０】
制御装置４０は、図９に示すフローチャートに従って、ヒータ本体層２２の温度を制御する。図９中に示す各ステップは、各種機能を実現する機能部に対応する。この制御は、操作部４４の電源スイッチがオンの状態のときに実行される。電源スイッチがオフからオンに切り替えられたとき、制御装置４０は、ヒータ本体層２２の温度が第１温度となるように、ヒータ本体層２２の通電量を制御する。
【００５１】
ステップＳ１で、制御装置４０は、温度センサ４６の検出値を取得する。検出値は、検出対象の温度に応じた電気信号である。温度センサ４６として、サーミスタを用いた場合、検出値は、サーミスタの抵抗値に応じた電圧値である。取得される検出値は、電源スイッチがオフからオンに切り替えられてから所定時間の経過後に検出されたものである。
【００５２】
続いて、ステップＳ２で、制御装置４０は、取得した検出値に基づいて、皮膚上に化粧水パックＰ１が有るか否かを判定する。
【００５３】
ここで、図１０に示すように、皮膚上に化粧水パックＰ１が有る場合に所定時間ｔ１の経過後に検出される温度は、皮膚上に化粧水パックＰ１が無い場合に所定時間ｔ１の経過後に検出される温度よりも低い。これは、化粧水パックＰ１に含まれる化粧水の量は、化粧水パックＰ１が無い場合に皮膚上に存在する化粧水の量よりも多いからである。すなわち、皮膚上に化粧水パックＰ１が無い場合、皮膚上に直接付けられた化粧水が存在するか、皮膚上に化粧水が存在しない。化粧水パックＰ１に含まれる水分量は、皮膚に含まれる水分量よりも多い。このため、皮膚上に化粧水パックＰ１が有る場合、皮膚上に化粧水パックＰ１が無い場合の皮膚の温度の上昇と比較して、美容機器１０による顔面２の加温開始からの化粧水パックＰ１の温度の上昇が遅くなる。このように、皮膚上における化粧水の量が多い場合、皮膚上における化粧水の量が少ない場合と比較して、空間３を挟んでヒータユニット層１８と対向する物の温度は、低くなる。したがって、空間３を挟んでヒータユニット層１８と対向する物の温度は、皮膚上における美容のための液体の量に相関する物理量である。温度センサ４６は、この物理量を検出する物理量センサである。
【００５４】
そこで、このステップＳ２では、取得した検出値と、予め設定された閾値とが比較される。上記した温度と検出値とは、温度が増大すると検出値が増大するという関係を有する。この場合、検出値が閾値よりも低いか否かが判定される。検出値が閾値よりも高い場合、ＮＯ判定される。この場合、ステップＳ３に進む。検出値が閾値よりも低い場合、ＹＥＳ判定される。この場合、ステップＳ４に進む。本実施形態では、ステップＳ２が、皮膚上における物体の有無を判定する判定部に対応する。
【００５５】
ステップＳ３で、制御装置４０は、ヒータ本体層２２の目標温度を第１温度に設定する。
【００５６】
続いて、ステップＳ５で、制御装置４０は、ヒータ本体層２２の温度が目標温度、すなわち、第１温度となるように、ヒータ本体層２２の通電量を制御する。これにより、ヒータ本体層２２の温度が第１温度となる。
【００５７】
ステップＳ４で、制御装置４０は、ヒータ本体層２２の目標温度を第２温度に設定する。第２温度は、第１温度よりも高い温度である。続いて、ステップＳ５で、制御装置４０は、ヒータ本体層２２の温度が目標温度、すなわち、第２温度となるように、ヒータ本体層２２の通電量を制御する。これにより、ヒータ本体層２２の温度が第２温度となる。本実施形態では、ステップＳ３、Ｓ４、Ｓ５が、ヒータ層の温度を制御する温度制御部に対応する。
【００５８】
以上の説明の通り、本実施形態では、制御装置４０は、ステップＳ２で、皮膚上における化粧水パックＰ１の有無を判定する。化粧水パックが無いと判定された場合、制御装置４０は、ステップＳ３、Ｓ５で、ヒータ本体層２２の温度を第１温度とする。一方、化粧水パックが有ると判定された場合、制御装置４０は、ステップＳ４、Ｓ５で、ヒータ本体層２２の温度を第２温度とする。
【００５９】
これによれば、化粧水パックＰ１の使用時では、化粧水パックＰ１の非使用時よりも、ヒータ本体層２２の温度を高くすることができる。これにより、化粧水パックＰ１の使用時では、化粧水パックＰ１の非使用時よりも、多くの輻射熱をヒータ本体層２２から放出することができる。よって、化粧水パックＰ１の使用時であっても、ユーザ１の皮膚が適切な温度になるように、ユーザ１の皮膚を加温することができる。
【００６０】
このように、本実施形態によれば、ユーザ１の操作によらず、ヒータ本体層２２の温度が適切な温度となるように、ヒータ本体層２２の温度を自動制御することができる。
【００６１】
また、本実施形態では、温度センサ４６が、皮膚または化粧水パックＰ１の温度を検出する。美容機器１０の適切な使用時間は、温度毎に定められている。そこで、制御装置４０は、検出した温度に基づいて、美容機器１０の適切な使用時間を算出する。これにより、算出した使用時間をユーザに知らせることができる。
【００６２】
（第２実施形態）
図１１に示すように、本実施形態は、温度センサ４６に替えて、湿度センサ５０が用いられる点が、第１実施形態と異なる。図１１は、図２に対応する。美容機器１０のその他の構成は、第１実施形態と同じである。
【００６３】
湿度センサ５０は、空間３の湿度を検出する。湿度センサ５０は、美容機器１０の装着時に、ユーザ１の顔面２の皮膚または化粧水パックＰ１と非接触となるように、センサ支持部５２に支持されている。図１１中の二点鎖線で示す化粧水パックＰ１が有る場合と無い場合のどちらにおいても、湿度センサ５０は、空間３を挟んでヒータユニット層１８と対向する物と接触しない。
【００６４】
湿度センサ５０は、第１実施形態の温度センサ４６と同様に、制御装置４０と電気的に接続されている。このため、制御装置４０は、湿度センサ５０の検出値を取得することができる。湿度センサ５０の検出値は、湿度センサ５０の検出結果である。
【００６５】
本実施形態においても、第１実施形態と同様に、制御装置４０は、図９に示すフローチャートに従って、ヒータ本体層２２の温度を制御する。
【００６６】
ステップＳ１で、制御装置４０は、湿度センサ５０の検出値を取得する。この検出値は、検出対象である空間３の湿度に応じた電気信号、例えば、電圧値である。取得される検出値は、電源スイッチがオフからオンに切り替えられてから所定時間の経過後に検出されたものである。
【００６７】
続いて、ステップＳ２で、制御装置４０は、取得した検出値に基づいて、皮膚上に化粧水パックＰ１が有るか否かを判定する。
【００６８】
ここで、図１２に示すように、皮膚上に化粧水パックＰ１が有る場合に所定時間ｔ１の経過後に検出される湿度は、皮膚上に化粧水パックＰ１が無い場合に所定時間ｔ１の経過後に検出される湿度よりも高い。
【００６９】
これは、化粧水パックＰ１に含まれる化粧水の量は、化粧水パックＰ１が無い場合に皮膚上に存在する化粧水の量よりも多いからである。皮膚上に化粧水パックＰ１が無い場合、皮膚上に直接付けられた化粧水が存在するか、皮膚上に化粧水が存在しない。このため、皮膚上に化粧水パックＰ１が有る場合、皮膚上に化粧水パックＰ１が無い場合と比較して、空間の湿度は高くなる。このように、皮膚上における化粧水の量が多い場合、皮膚上における化粧水の量が少ない場合と比較して、湿度センサ５０が検出する湿度は、高くなる。したがって、空間３の湿度は、皮膚上における美容のための液体の量に相関する物理量である。湿度センサ５０は、この物理量を検出する物理量センサである。
【００７０】
そこで、ステップＳ２では、取得した検出値と、予め設定された閾値とが比較される。湿度と検出値とは、湿度が増大すると検出値が増大するという関係を有する。この場合、検出値が閾値よりも高いか否かが判定される。検出値が閾値よりも低い場合、ＮＯ判定される。この場合、ステップＳ３に進む。検出値が閾値よりも高い場合、ＹＥＳ判定される。この場合、ステップＳ４に進む。
【００７１】
ステップＳ３、Ｓ４、Ｓ５は、第１実施形態と同じである。
【００７２】
本実施形態によっても、第１実施形態と同様に、ユーザ１の操作によらず、ヒータ本体層２２の温度が適切な温度となるように、ヒータ本体層２２の温度を自動制御することができる。
【００７３】
（第３実施形態）
図１３に示すように、本実施形態は、温度センサ４６に替えて、抵抗検出器５４が用いられる点が、第１実施形態と異なる。美容機器１０のその他の構成は、第１実施形態と同じである。
【００７４】
抵抗検出器５４は、空間３を挟んでヒータユニット層１８と対向する物の電気抵抗値を検出する検出部である。
【００７５】
図１４に示すように、抵抗検出器５４は、２つの電極５５、５６を有している。２つの電極５５、５６は、美容機器１０の装着時にユーザ１の顔面２の皮膚または化粧水パックＰ１に接触するようになっている。抵抗検出器５４は、２つの電極５５、５６の間の物の電気抵抗値を検出する。電気抵抗値の検出方法としては、一般的な接触式の電気抵抗値の検出方法を採用することができる。
【００７６】
図１４に示すように、美容機器１０の装着時であって、化粧水パックの非使用時では、抵抗検出器５４の２つの電極５５、５６は、ユーザ１の顔面２の皮膚に接触する。これにより、抵抗検出器５４は、ユーザ１の皮膚の電気抵抗値を検出する。
【００７７】
一方、図１５に示すように、美容機器１０の装着時であって、化粧水パックＰ１の使用時では、抵抗検出器５４の２つの電極５５、５６は、化粧水パックＰ１に接触する。これにより、抵抗検出器５４は、化粧水パックＰ１の電気抵抗値を検出する。
【００７８】
抵抗検出器５４は、第１実施形態の温度センサ４６と同様に、制御装置４０と電気的に接続されている。このため、制御装置４０は、抵抗検出器５４の検出値を取得することができる。抵抗検出器５４の検出値は、抵抗検出器５４の検出結果である。
【００７９】
本実施形態においても、第１実施形態と同様に、制御装置４０は、図９に示すフローチャートに従って、ヒータ本体層２２の温度を制御する。
【００８０】
ステップＳ１で、制御装置４０は、抵抗検出器５４の検出値を取得する。検出値は、測定対象の電気抵抗値に応じた電気信号である。取得される検出値は、美容機器１０の装着直後に検出されたものと、電源スイッチがオフからオンに切り替えられてから所定時間の経過後に検出されたもののどちらでもよい。
【００８１】
続いて、ステップＳ２で、制御装置４０は、取得した検出値に基づいて、皮膚上に化粧水パックＰ１が有るか否かを判定する。
【００８２】
ここで、図１６に示すように、皮膚上に化粧水パックＰ１が有る場合に検出される電気抵抗値は、皮膚上に化粧水パックＰ１が無い場合に検出される電気抵抗値よりも低い。
【００８３】
これは、化粧水パックＰ１に含まれる化粧水の量は、化粧水パックＰ１が無い場合に皮膚上に存在する化粧水の量よりも多いからである。皮膚上に化粧水パックＰ１が無い場合、皮膚上に直接付けられた化粧水が存在するか、皮膚上に化粧水が存在しない。また、化粧水パックＰ１に含まれる水分量は、皮膚に含まれる水分量よりも多い。このため、皮膚上に化粧水パックＰ１が無い場合の皮膚の電気抵抗値と比較して、化粧水パックＰ１の電気抵抗値は低い。
【００８４】
このように、皮膚上における化粧水の量が多い場合、皮膚上における化粧水の量が少ない場合と比較して、空間３を挟んでヒータユニット層１８と対向する物の電気抵抗値は、低くなる。したがって、空間３を挟んでヒータユニット層１８と対向する物の電気抵抗値は、皮膚上における美容のための液体の量に相関する物理量である。抵抗検出器５４は、この物理量を検出する物理量センサである。
【００８５】
そこで、例えば、２つの電極５５、５６の間の物に一定の電流が流される。このとき、２つの電極５５、５６の間の電位差が測定される。この電位差が、検出値として用いられる。この場合、皮膚上に化粧水パックＰ１が有るときの電位差は、皮膚上に化粧水パックＰ１が無いときの電位差よりも小さい。そこで、ステップＳ２では、取得した検出値と、予め設定された閾値とが比較される。検出値が閾値よりも小さいか否かが判定される。検出値が閾値よりも大きい場合、ＮＯ判定される。この場合、ステップＳ３に進む。検出値が閾値よりも小さい場合、ＹＥＳ判定される。この場合、ステップＳ４に進む。
【００８６】
また、例えば、２つの電極５５、５６の間の物に一定の電流が流される。このとき、２つの電極５５、５６の一方は電源に接続される。２つの電極５５、５６の他方はグランドに接続される。そして、２つの電極５５、５６のうちグランド側に接続された電極の電位が測定される。この電位が、検出値として用いられる。この場合、皮膚上に化粧水パックＰ１が有るときの電位は、皮膚上に化粧水パックＰ１が無いときの電位よりも大きい。そこで、ステップＳ２では、取得した検出値と、予め設定された閾値とが比較される。検出値が閾値よりも大きいか否かが判定される。検出値が閾値よりも小さい場合、ＮＯ判定される。この場合、ステップＳ３に進む。検出値が閾値よりも大きい場合、ＹＥＳ判定される。この場合、ステップＳ４に進む。
【００８７】
ステップＳ３、Ｓ４、Ｓ５は、第１実施形態と同じである。
【００８８】
本実施形態によっても、第１実施形態と同様に、ユーザ１の操作によらず、ヒータ本体層２２の温度が適切な温度となるように、ヒータ本体層２２の温度を自動制御することができる。
【００８９】
また、本実施形態では、抵抗検出器５４が皮膚または化粧水パックＰ１の電気抵抗値を検出する。
【００９０】
化粧水パックＰ１の使用時では、加温時間が進むにつれて、化粧水パックＰ１に含まれる水分量が減少する。水分量が減少すると、化粧水パックＰ１の電気抵抗値が増大する。そこで、抵抗検出器５４が加温時の化粧水パックＰ１の電気抵抗値を検出する。制御装置４０は、化粧水パックＰ１の時間経過に伴う電気抵抗値の変化に基づいて、検出値から加温終了時期を判定する。これにより、加温終了時期をユーザに知らせることができる。
【００９１】
（第４実施形態）
本実施形態は、ヒータ本体層２２の温度制御が第１実施形態と異なる。美容機器１０のその他の構成は第１実施形態と同じである。
【００９２】
図１７に示すように、ヒータ本体層２２は、独立して温度制御される複数のヒータ領域Ｒ１、Ｒ２、Ｒ３、Ｒ４、Ｒ５を有する。複数のヒータ領域Ｒ１、Ｒ２、Ｒ３、Ｒ４、Ｒ５のそれぞれは、制御装置４０と電気的に接続されている。複数のヒータ領域Ｒ１、Ｒ２、Ｒ３、Ｒ４、Ｒ５のそれぞれは、美容機器１０の装着時に、ユーザ１の顔面２の複数の皮膚領域のそれぞれに対向する。具体的には、第１ヒータ領域Ｒ１は、額に対向する。第２ヒータ領域Ｒ２は鼻に対向する。第３ヒータ領域Ｒ３と第４ヒータ領域Ｒ４とのそれぞれは、鼻の両側の頬のそれぞれに対向する。第５ヒータ領域Ｒ５は、顎に対向する。本実施形態では、額、鼻、一方の頬、他方の頬、顎が、複数の皮膚領域に対応している。
【００９３】
制御装置４０は、複数のヒータ領域Ｒ１、Ｒ２、Ｒ３、Ｒ４、Ｒ５のそれぞれの通電量を独立して制御する。これにより、制御装置４０は、複数のヒータ領域Ｒ１、Ｒ２、Ｒ３、Ｒ４、Ｒ５のそれぞれの温度を独立して制御する。
【００９４】
図１８に示すように、美容機器１０は、複数の温度センサ４６ａ、４６ｂ、４６ｃ、４６ｄ、４６ｅと、複数のセンサ支持部４８ａ、４８ｂ、４８ｃ、４８ｄ、４８ｅとを備える。複数の温度センサ４６ａ、４６ｂ、４６ｃ、４６ｄ、４６ｅのそれぞれは、複数のセンサ支持部４８ａ、４８ｂ、４８ｃ、４８ｄ、４８ｅのそれぞれに支持されている。複数の温度センサ４６ａ、４６ｂ、４６ｃ、４６ｄ、４６ｅのそれぞれは、第１実施形態の温度センサ４６と同じものである。複数のセンサ支持部４８ａ、４８ｂ、４８ｃ、４８ｄ、４８ｅのそれぞれは、第１実施形態のセンサ支持部４８と同じものである。
【００９５】
複数の温度センサ４６ａ、４６ｂ、４６ｃ、４６ｄ、４６ｅのそれぞれは、ヒータユニット層１８のユーザ側の面１８ｂのうち複数のヒータ領域Ｒ１、Ｒ２、Ｒ３、Ｒ４、Ｒ５のそれぞれが設置された範囲内に設けられている。複数の温度センサ４６ａ、４６ｂ、４６ｃ、４６ｄ、４６ｅのそれぞれは、複数のヒータ領域Ｒ１、Ｒ２、Ｒ３、Ｒ４、Ｒ５のそれぞれに対応付けられている。
【００９６】
具体的には、第１温度センサ４６ａは、ヒータユニット層１８のうち額に対向する領域に設けられている。第２温度センサ４６ｂは、ヒータユニット層１８のうち鼻に対向する領域に設けられている。第３温度センサ４６ｃと第４温度センサ４６ｄとのそれぞれは、ヒータユニット層１８のうち鼻を挟んだ両側の頬のそれぞれに対向する領域に設けられている。第５温度センサ４６ｅは、ヒータユニット層１８のうち顎に対向する領域に設けられている。
【００９７】
第１実施形態と同様に、複数の温度センサ４６ａ、４６ｂ、４６ｃ、４６ｄ、４６ｅのそれぞれは、空間３を挟んで複数のヒータ領域Ｒ１、Ｒ２、Ｒ３、Ｒ４、Ｒ５のそれぞれと対向する物の温度を検出する。制御装置４０は、複数の温度センサ４６ａ、４６ｂ、４６ｃ、４６ｄ、４６ｅのそれぞれの検出値を取得することができる。
【００９８】
制御装置４０は、複数のヒータ領域Ｒ１、Ｒ２、Ｒ３、Ｒ４、Ｒ５のそれぞれについて、第１実施形態と同様に、図９に示す処理を行う。これにより、制御装置４０は、複数のヒータ領域Ｒ１、Ｒ２、Ｒ３、Ｒ４、Ｒ５のそれぞれのヒータ温度を制御する。この制御は、操作部４４の電源スイッチがオンの状態のときに実行される。電源スイッチがオフからオンに切り替えられたときでは、制御装置４０は、複数のヒータ領域Ｒ１、Ｒ２、Ｒ３、Ｒ４、Ｒ５のそれぞれの温度が、第１温度となるように、複数の領域Ｒ１、Ｒ２、Ｒ３、Ｒ４、Ｒ５のそれぞれの通電量を制御する。
【００９９】
具体的には、第１ヒータ領域Ｒ１のヒータ温度の制御では、ステップＳ１で、制御装置４０は、第１温度センサ４６ａの検出値を取得する。ステップＳ２で、制御装置４０は、取得した検出値に基づいて、額の皮膚上に化粧水パックＰ１が有るか否かを判定する。ステップＳ３、Ｓ４で、制御装置４０は、第１領域Ｒ１の目標温度を設定する。ステップＳ５で、制御装置４０は、第１領域Ｒ１の通電量を制御する。
【０１００】
第２ヒータ領域Ｒ２のヒータ温度制御では、ステップＳ１で、制御装置４０は、第２温度センサ４６ｂの検出値を取得する。ステップＳ２で、制御装置４０は、取得した検出値に基づいて、鼻の皮膚上に化粧水パックＰ１が有るか否かを判定する。ステップＳ３、Ｓ４で、制御装置４０は、第２領域Ｒ２の目標温度を設定する。ステップＳ５で、制御装置４０は、第２領域Ｒ２の通電量を制御する。
【０１０１】
第３ヒータ領域Ｒ３のヒータ温度制御では、ステップＳ１で、制御装置４０は、第３温度センサ４６ｃの検出値を取得する。ステップＳ２で、制御装置４０は、取得した検出値に基づいて、一方の頬の皮膚上に化粧水パックＰ１が有るか否かを判定する。ステップＳ３、Ｓ４で、制御装置４０は、第３領域Ｒ３の目標温度を設定する。ステップＳ５で、制御装置４０は、第３領域Ｒ３の通電量を制御する。
【０１０２】
第４ヒータ領域Ｒ４のヒータ温度制御では、ステップＳ１で、制御装置４０は、第４温度センサ４６ｄの検出値を取得する。ステップＳ２で、制御装置４０は、取得した検出値に基づいて、他方の頬の皮膚上に化粧水パックＰ１が有るか否かを判定する。ステップＳ３、Ｓ４で、制御装置４０は、第４領域Ｒ４の目標温度を設定する。ステップＳ５で、制御装置４０は、第４領域Ｒ４の通電量を制御する。
【０１０３】
第５ヒータ領域Ｒ５のヒータ温度制御では、ステップＳ１で、制御装置４０は、第５温度センサ４６ｅの検出値を取得する。ステップＳ２で、制御装置４０は、取得した検出値に基づいて、顎の皮膚上に化粧水パックＰ１が有るか否かを判定する。ステップＳ３、Ｓ４で、制御装置４０は、第５領域Ｒ５の目標温度を設定する。ステップＳ５で、制御装置４０は、第５領域Ｒ５の通電量を制御する。
【０１０４】
本実施形態では、複数のヒータ領域Ｒ１、Ｒ２、Ｒ３、Ｒ４、Ｒ５のそれぞれについて、制御装置４０が行う図９に示す処理のステップＳ２が、皮膚上における物体の有無を判定する判定部に対応する。複数のヒータ領域Ｒ１、Ｒ２、Ｒ３、Ｒ４、Ｒ５のそれぞれについて、制御装置４０が行う図９に示す処理のステップＳ３、Ｓ４、Ｓ５が、ヒータ層の温度を制御する温度制御部に対応する。
【０１０５】
このように、本実施形態では、複数のヒータ領域Ｒ１、Ｒ２、Ｒ３、Ｒ４、Ｒ５のそれぞれに対向する額、鼻、一方の頬、他方の頬、顎のそれぞれについて、制御装置４０は、皮膚上における化粧水パックＰ１の有無を判定する。額、鼻、一方の頬、他方の頬、顎のそれぞれを対象の皮膚領域とする。化粧水パックＰ１が有ると判定された場合、化粧水パックＰ１が無いと判定された場合と比較して、制御装置４０は、複数のヒータ領域Ｒ１、Ｒ２、Ｒ３、Ｒ４、Ｒ５のうち対象の皮膚領域に対応するヒータ領域の温度を高くする。
【０１０６】
このため、額、鼻、一方の頬、他方の頬、顎のうち一部の皮膚領域のみに化粧水パックＰ１が有ると判定された場合、制御装置４０は、複数のヒータ領域Ｒ１、Ｒ２、Ｒ３、Ｒ４、Ｒ５のうち一部のヒータ領域の温度を第２温度とする。制御装置４０は、複数のヒータ領域Ｒ１、Ｒ２、Ｒ３、Ｒ４、Ｒ５のうち一部のヒータ領域を除くヒータ領域の温度を第１温度とする。例えば、顔面２の皮膚のうち額のみに化粧水パックＰ１が有ると判定された場合、制御装置４０は、第１ヒータ領域Ｒ１の温度を第２温度とする。制御装置４０は、ヒータ本体層２２のうち第１領域Ｒ１以外のヒータ領域Ｒ２、Ｒ３、Ｒ４、Ｒ５の温度を第１温度とする。
【０１０７】
ところで、顔面２の皮膚に対して部分的に化粧水パックＰ１が貼り付けられたときに、本実施形態と異なり、ヒータ本体層２２の温度をヒータ本体層２２の全域で一律に高くすると、顔面２の皮膚のうち化粧水パックＰ１が貼り付けられていない部分の温度が高くなってしまう。
【０１０８】
これに対して、本実施形態によれば、顔面２の皮膚に対して部分的に化粧水パックＰ１が貼り付けられたとき、複数のヒータ領域Ｒ１、Ｒ２、Ｒ３、Ｒ４、Ｒ５のうち化粧水パックＰ１に対向するヒータ領域の温度のみを、化粧水パックＰ１が無い場合よりも高くすることができる。このため、顔面２の皮膚のうち粧水パックＰ１が貼り付けられていない部分の温度が高くなりすぎることを回避できる。よって、顔面２の皮膚に対して部分的に化粧水パックＰ１が貼り付けられた場合であっても、顔面２の皮膚の全体を適切な温度に加温することができる。
【０１０９】
なお、本実施形態では、複数のヒータ領域Ｒ１、Ｒ２、Ｒ３、Ｒ４、Ｒ５のそれぞれにおける第１温度は同じである。複数のヒータ領域のそれぞれにおける第２温度は同じである。しかし、複数のヒータ領域Ｒ１、Ｒ２、Ｒ３、Ｒ４、Ｒ５のそれぞれにおける第１温度は互いに異なっていてもよい。複数のヒータ領域Ｒ１、Ｒ２、Ｒ３、Ｒ４、Ｒ５のそれぞれにおける第２温度は互いに異なっていてもよい。
【０１１０】
また、本実施形態では、複数の温度センサを用いたが、これに限定されない。複数の温度センサに変えて、複数の湿度センサを用いたり、複数の抵抗検出器を用いたりしてもよい。複数の湿度センサのそれぞれとして、第２実施形態の湿度センサ５０と同じものを用いることができる。複数の抵抗検出器のそれぞれとして、第３実施形態の抵抗検出器５４と同じものを用いることができる。
【０１１１】
（他の実施形態）
（１）上述の各実施形態では、化粧水パックＰ１を用いていたが、これに限定されない。化粧水パックＰ１以外の物体を用いることができる。この物体は、定まった形をもつとともに、美容のための液体を内部に含有するものである。「定まった形をもつ」とは、力を加えないと変形しない定まった形をもつこと、すなわち、固体であることを意味する。この物体には、外力が加えられると、容易に変形するものが含まれる。この物体は、美容機器１０に加温されるときの物体の温度よりも高い融点をもつものである。また、この物体は、皮膚上において、定まった形をもつものである。よって、この物体には、美容機器１０の加温開始直後から定まった形をもつものが含まれる。また、この物体には、皮膚上に配置された直後から定まった形をもつものが含まれる。この物体は、皮膚上に配置される前または美容機器１０の加温開始前では、形が定まっていなくてもよい。換言すると、この物体には、皮膚上に配置する前から固体であるものが含まれる。また、この物体には、皮膚上に配置する前では固体ではないが、皮膚上に配置した後に、固体であるものが含まれる。また、この物体には、美容機器１０の加温開始前では固体ではないが、美容機器１０の加温によって固体になるものが含まれる。また、「美容のための液体を内部に含有する」とは、物体の内部に空隙が形成されており、この空隙に美容のための液体が存在することを意味する。物体の内部に空隙が形成されている例として、物体が多孔質体であることが挙げられる。物体の内部に空隙が形成されている他の例として、物体が複数の繊維状等の物で構成され、複数の物における物と物との間に空隙が形成されていることが挙げられる。この物体としては、例えば、乳液を含有するシート、美容液を含有するシート、薄切りにした野菜または果物が挙げられる。
【０１１２】
（２）第１実施形態では、温度センサ４６は、皮膚または化粧水パックＰ１に接触して、皮膚または化粧水パックＰ１の温度を検出するものであった。しかし、温度センサ４６は、皮膚または化粧水パックＰ１に非接触で、皮膚または化粧水パックＰ１の温度を検出するものであってもよい。
【０１１３】
（３）第３実施形態では、抵抗検出器５４は、皮膚または化粧水パックＰ１に接触して、皮膚または化粧水パックＰ１の電気抵抗値を検出するものであった。しかし、抵抗検出器５４は、皮膚または化粧水パックＰ１に非接触で、皮膚または化粧水パックＰ１の電気抵抗値を検出するものであってもよい。
【０１１４】
（４）上述の各実施形態では、図９中に示す各ステップを１つの制御装置の機能により実現させていた。しかし、図９中に示す各ステップの少なくとも一部を複数の制御装置の機能により実現させても良い。
【０１１５】
（５）上記各実施形態では、マスク本体部１２の外装部材としてハーフミラー層１６を用いた。しかし、他の外装部材を用いてもよい。他の外装部材は、全体が半透明の部材で構成されていてもよい。この場合、外装部材の表面に模様や絵などが描かれていてもよい。この場合においても、外装部材が光透過性を有することで、マスク本体部１２の装着時に、ユーザ１はユーザ１の周りを見ることができる。また、外装部材の表面に模様や絵などを描くことができる。外装部材の外観のデザインを自由に選定できる。このため、発熱性美容パックよりも外装部材の見栄えがよい。よって、発熱性美容パックを付ける場合と比較して、顔面２に装着している姿を他人に見せたくないという感情をユーザ１が抱くことを抑制できる。
【０１１６】
また、他の外装部材は、不透明な部材であってもよい。この場合、外装部材のうちユーザ１の目に対応する部位に、２つの開口部が形成される。なお、２つの開口部が形成される代わりに、外装部材のうちユーザ１の目に対応する部位が除去されていてもよい。要するに、外装部材のうちユーザ１の目に対応する部位に空間部が形成されていればよい。これによれば、マスク本体部１２の装着時に、ユーザ１は周りを見ることができる。
【０１１７】
（６）上記各実施形態では、パッド２０が環形状であった。すなわち、パッド２０がヒータユニット層１８の周縁部の全域に積層されていた。しかし、パッド２０がヒータユニット層１８の周縁部の一部に積層されていてもよい。
【０１１８】
（７）上記各実施形態では、制御装置４０はヒータユニット層１８に設けられていた。しかし、制御装置４０は、ヒータユニット層１８とは別の部材に設けられてもよい。別の部材としてはヘッドバンド１４が挙げられる。また、別の部材は、ヘッドバンド１４とは別に、ユーザ１に装着される制御装置４０専用の装着部材であってもよい。
【０１１９】
（８）上記各実施形態では、電池４２と操作部４４とのそれぞれが、ヘッドバンド１４に設けられていた。ヘッドバンド１４は、マスク本体部１２をユーザ１に固定するために、ユーザ１に装着される装着部材である。しかし、電池４２と操作部４４とのそれぞれは、ヘッドバンド１４ではなく、ユーザ１に装着される専用の装着部材（例えば、リストバンドなど）に設けられてもよい。これによれば、皮膚の加温時にユーザ１は自由に移動することができる。ただし、美容機器１０の部品点数を少なくするという観点では、電池４２と操作部４４とのそれぞれが、ヘッドバンド１４に設けられることが好ましい。
【０１２０】
（９）上記各実施形態では、マスク本体部１２を顔面２に固定する固定部材として、ヘッドバンド１４が用いられていた。しかし、マスク本体部１２を顔面２に固定できれば他の部材が用いられてもよい。
【０１２１】
（１０）上記した各実施形態では、美容機器１０の加温対象が顔面２の皮膚であった。しかし、美容機器１０の加温対象は、ユーザ１の顔面２以外の皮膚であってもよい。この場合、ヒータユニット層１８は、人体の皮膚を覆うことができる形状および大きさであればよい。パッド２０は、ヒータユニット層１８と人体の皮膚との間に空間３を形成する形状および大きさであればよい。また、美容機器１０は、ヘッドバンド１４の替わりに、ヒータ本体層２２およびパッド２０を人体に固定する固定部材を備える。また、この場合、美容機器１０が固定部材と外装部材の一方または両方を備えていなくてもよい。
【０１２２】
（１１）本発明は上記した実施形態に限定されるものではなく、特許請求の範囲に記載した範囲内において適宜変更が可能であり、様々な変形例や均等範囲内の変形をも包含する。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１２３】
（まとめ）
上記各実施形態の一部または全部で示された第１の観点によれば、美容機器は、ヒータ層と、空間形成部材と、判定部と、温度制御部とを備える。判定部によって物体が有ると判定された場合、判定部によって物体が無いと判定された場合と比較して、温度制御部は、ヒータ層の温度を高くする。
【０１２４】
また、第２の観点によれば、美容機器は、さらに、皮膚上に存在する液体の量に相関する物理量を検出する物理量センサを備える。判定部は、物理量センサの検出結果に基づいて、物体の有無を判定する。第１の観点においては、第２の観点のように、判定部は、物理量センサの検出結果に基づいて、判定することができる。
【０１２５】
また、第３の観点によれば、美容機器は、さらに、空間を挟んでヒータ層と対向する物の温度を検出する温度センサを備える。判定部は、温度センサの検出結果に基づいて、物体の有無を判定する。第１の観点においては、第３の観点のように、判定部は、温度センサの検出結果に基づいて、判定することができる。
【０１２６】
また、第４の観点によれば、美容機器は、さらに、空間の湿度を検出する湿度センサを備える。判定部は、湿度センサの検出結果に基づいて、物体の有無を判定する。第１の観点においては、第４の観点のように、判定部は、湿度センサの検出結果に基づいて、判定することができる。
【０１２７】
また、第５の観点によれば、美容機器は、さらに、空間を挟んでヒータ層と対向する物の電気抵抗値を検出する検出部を備える。判定部は、検出部の検出結果に基づいて、物体の有無を判定する。第１の観点においては、第５の観点のように、判定部は、電気抵抗値を検出する検出部の検出結果に基づいて、判定することができる。
【０１２８】
また、第６の観点によれば、ヒータ層は、複数のヒータ領域を有する。温度制御部は、複数のヒータ領域のそれぞれの温度を独立して制御する。判定部は、複数のヒータ領域のそれぞれに対向する皮膚の複数の皮膚領域のそれぞれについて、皮膚上における物体の有無を判定する。複数の皮膚領域のそれぞれを対象の皮膚領域として、判定部によって物体が有ると判定された場合、判定部によって物体が無いと判定された場合と比較して、温度制御部は、複数のヒータ領域のうち対象の皮膚領域に対応するヒータ領域の温度を高くする。
【０１２９】
これによれば、ヒータ層に対向する皮膚上に部分的に物体がある場合、複数のヒータ領域のうち物体に対向するヒータ領域の温度のみを、物体が無い場合よりも高くすることができる。このため、皮膚のうち物体が無い部分の温度が高くなりすぎることを回避できる。よって、皮膚に対して部分的に物体が有る場合であっても、ヒータ層に対向する皮膚の全体を適切な温度に加温することができる。
【０１３０】
また、第７の観点によれば、ヒータ層は、ユーザの顔面を覆うことができる形状を有するとともに、空間を挟んでユーザの顔面の皮膚に対向して配置される。空間形成部材は、ヒータ層と顔面の皮膚との間に空間を形成する。第１−第６の観点においては、第７の観点のように、美容機器を顔面の加温に用いることができる。
【符号の説明】
【０１３１】
１０    美容機器
１８    ヒータユニット層
２０    パッド
２２    ヒータ本体層
４６    温度センサ
５０    湿度センサ
５４    抵抗検出器
【図１】
2018187364.tif 000003
【図２】
2018187364.tif 000004
【図３】
2018187364.tif 000005
【図４】
2018187364.tif 000006
【図５】
2018187364.tif 000007
【図６】
2018187364.tif 000008
【図７】
2018187364.tif 000009
【図８】
2018187364.tif 000010
【図９】
2018187364.tif 000011
【図１０】
2018187364.tif 000012
【図１１】
2018187364.tif 000013
【図１２】
2018187364.tif 000014
【図１３】
2018187364.tif 000015
【図１４】
2018187364.tif 000016
【図１５】
2018187364.tif 000017
【図１６】
2018187364.tif 000018
【図１７】
2018187364.tif 000019
【図１８】
2018187364.tif 000020